(57)【要約】  【課題】転写ヘッドが転写対象面に対して柔軟に追従できるようにした転写具を提供する。  【解決手段】転写具Ｔを、軸心ｊを転写対象面Ｓに対して直立又は転写進行方向に傾斜させて把持可能な把持部材１と、この把持部材１に保持されて軸心ｊ回りに回転可能な回転体２１と、その軸心ｊに対し転写端２２１が反転写方向に偏位した状態で回転体２１に保持された転写ヘッド２２とを具備してなるものとし、転写対象面Ｓに対して転写ヘッド２２が柔軟に追従できるように構成した。【選択図】図１
2014108547.tif 000002
【特許請求の範囲】
【請求項１】
軸心を転写対象面に対して直立又は転写進行方向に傾斜させて把持可能な把持部材と、この把持部材に保持されて前記軸心回りに回転可能な回転体と、その軸心に対し転写端が反転写方向に偏位した状態で前記回転体に保持された転写ヘッドとを具備してなることを特徴とする転写具。
【請求項２】
前記把持部材が、円筒体状をなす本体ケースであり、
前記回転体が、転写テープを前記転写ヘッドに供給するための繰出リール及び前記転写ヘッドを経由した転写テープを巻き取るための巻取リールを備えてなるリフィル本体であり、
このリフィル本体と前記転写ヘッドとによって前記本体ケース内に交換可能に収容されるリフィルを構成している請求項１記載の転写具。
【請求項３】
前記リフィル本体が、リフィルベースと、このリフィルベースに保持された前記繰出リール及び巻取リールと、これら両リールを転写テープの進行に伴わせて連動回転させるための連動機構とを備えたものである請求項２記載の転写具。
【請求項４】
前記リフィルベースが、前記軸心に対して一方側に偏位した位置で前記連動機構を保持する連動機構保持部と、この連動機構保持部に関連させて前記軸心に対して他方側に偏位した位置に配された重量バランス部とを備えている請求項３記載の転写具。
【請求項５】
前記リフィルを前記本体ケース内に自由回転可能に保持する保持状態と、前記リフィルを前記本体ケースから取り外し得る解放状態とを選択的に取り得るリフィル保持機構を具備している請求項２、３又は４記載の転写具。
【請求項６】
前記リフィル保持機構が、前記リフィルに形成された凸状をなす被保持部と、前記本体ケースの一方の端部に形成され前記被保持部を弾性的に保持する保持部とを備えている請求項５記載の転写具。
【請求項７】
前記リフィル保持機構が、前記保持状態を解除するための操作体を具備している請求項５又は６記載の転写具。
【請求項８】
前記転写ヘッドが、転写テープを転写対象面に対して押しつける転写端と、この転写端を両側から支持する左右の支持部とを備えてなるものであり、
前記左右の支持部が、前記把持部材の軸心を転写対象面に対して直立又は転写進行方向に傾斜させた場合に、前記転写端が前記転写テープを転写対象面に対して押し付け得るように形成されている請求項１、２、３、４、５、６又は７記載の転写具。
【請求項９】
前記転写端が、前記左右の支持部に回転可能に支持された転写ロールである請求項８記載の転写具。
【発明の詳細な説明】
【技術分野】
【０００１】
本発明は、転写物を塗布するための転写具に関する。
【背景技術】
【０００２】
従来、この種の転写具として、本体ケースと、転写ヘッドを有し本体ケース内に回転可能に配されたリフィルとを具備してなるものが知られている。このものは、転写ヘッドが本体ケースの軸心に対して転写方向側に偏位した状態で本体ケース内に保持されている（例えば、特許文献１を参照）。
【０００３】
ところが、このようなものでは、転写物を転写対象面に対して曲線を描くようにして塗布する場面等において、転写ヘッドが適切に回転できずに転写対象面に対して柔軟に追従できないという不具合があった。
【先行技術文献】
【特許文献】
【０００４】
【特許文献１】特開２０００−３４３８９０号公報
【発明の概要】
【発明が解決しようとする課題】
【０００５】
本発明は、以上のような事情に着目してなされたもので、転写ヘッドが転写対象面に対して柔軟に追従できるようにした転写具を提供することにある。
【課題を解決するための手段】
【０００６】
すなわち、本発明の転写具は次の構成をなしている。
【０００７】
請求項１に記載の転写具は、軸心を転写対象面に対して直立又は転写進行方向に傾斜させて把持可能な把持部材と、この把持部材に保持されて前記軸心回りに回転可能な回転体と、その軸心に対し転写端が反転写方向に偏位した状態で前記回転体に保持された転写ヘッドとを具備してなるものである。
【０００８】
請求項２に記載の転写具は、請求項１に係る構成において、前記把持部材が、円筒体状をなす本体ケースであり、前記回転体が、転写テープを前記転写ヘッドに供給するための繰出リール及び前記転写ヘッドを経由した転写テープを巻き取るための巻取リールを備えてなるリフィル本体であり、このリフィル本体と前記転写ヘッドとによって前記本体ケース内に交換可能に収容されるリフィルを構成しているものである。
【０００９】
請求項３に記載の転写具は、請求項２に係る構成において、前記リフィル本体が、リフィルベースと、このリフィルベースに保持された前記繰出リール及び巻取リールと、これら両リールを転写テープの進行に伴わせて連動回転させるための連動機構とを備えたものである。
【００１０】
請求項４に記載の転写具は、請求項３に係る構成において、前記リフィルベースが、前記軸心に対して一方側に偏位した位置で前記連動機構を保持する連動機構保持部と、この連動機構保持部に関連させて前記軸心に対して他方側に偏位した位置に配された重量バランス部とを備えているものである。
【００１１】
請求項５に記載の転写具は、請求項２、３又は４に係る構成において、前記リフィルを前記本体ケース内に自由回転可能に保持する保持状態と、前記リフィルを前記本体ケースから取り外し得る解放状態とを選択的に取り得るリフィル保持機構を具備しているものである。
【００１２】
請求項６に記載の転写具は、請求項５に係る構成において、前記リフィル保持機構が、前記リフィルに形成された凸状をなす被保持部と、前記本体ケースの一方の端部に形成され前記被保持部を弾性的に保持する保持部とを備えているものである。
【００１３】
請求項７に記載の転写具は、請求項５又は６に係る構成において、前記リフィル保持機構が、前記保持状態を解除するための操作体を具備しているものである。
【００１４】
請求項８に記載の転写具は、請求項１、２、３、４、５、６又は７に係る構成において、前記転写ヘッドが、転写テープを転写対象面に対して押しつける転写端と、この転写端を両側から支持する左右の支持部とを備えてなるものであり、前記左右の支持部が、前記把持部材の軸心を転写対象面に対して直立又は転写進行方向に傾斜させた場合に、前記転写端が前記転写テープを転写対象面に対して押し付け得るように形成されているものである。
【００１５】
請求項９に記載の転写具は、請求項８に係る構成において、前記転写端が、前記左右の支持部に回転可能に支持された転写ロールであるものである。
【発明の効果】
【００１６】
以上説明したように本発明によれば転写ヘッドが転写対象面に対して柔軟に追従できるようにした転写具を提供することができる。
【図面の簡単な説明】
【００１７】
【図１】本発明の一実施形態を示す斜視図。
【図２】同実施形態における斜視図。
【図３】同実施形態における転写時の一態様を示す側面図。
【図４】同実施形態における背面図
【図５】図３におけるＡ−Ａ線概略断面図。
【図６】同実施形態における本体ケースの正面図。
【図７】同実施形態における操作体の正面図。
【図８】同実施形態における概略側断面図。
【図９】同実施形態における概略側断面図。
【発明を実施するための形態】
【００１８】
以下、本発明の一実施形態を、図１〜９を参照して説明する。
【００１９】
この実施形態は、本発明を、粘着剤である糊ｇを転写対象面Ｓに対して転写するための転写具Ｔに適用したものである。この転写具Ｔは、用紙等の転写対象面Ｓに対して糊ｇを転写することができるものであり、貼り付け作業等の便宜に供するものである。
【００２０】
転写具Ｔは、軸心ｊを転写対象面Ｓに対して直立又は転写進行方向に傾斜させて把持可能な把持部材たる本体ケース１と、この本体ケース１に保持されて軸心ｊ回りに回転可能な回転体たるリフィル本体２１と、軸心ｊに対し転写端である転写ロール２２１が反転写方向に偏位した状態でリフィル本体２１に保持された転写ヘッド２２とを具備してなるものである。本体ケース１は円筒体状をなすものであり、リフィル本体２１は、転写テープｐを転写ヘッド２２に供給するための繰出リールｍと、転写ヘッド２２を経由した転写テープｐを巻き取るための巻取リールｎとを備えてなる。そして、リフィル本体２１と転写ヘッド２２とによって本体ケース１に対して交換可能に収容されるリフィル２を構成している。
【００２１】
転写具Ｔは、リフィル２を本体ケース１に対して着脱可能に保持するリフィル保持機構３を具備している。リフィル保持機構３は、リフィル２を構成するリフィル本体２１を本体ケース１内に自由回転可能に保持する保持状態（Ｈ）と、リフィル２を本体ケース１から取り外し得る解放状態（Ｒ）とを選択的に取り得るものである。また、転写具Ｔは、本体ケース１の先端にリフィル２挿抜用の開口部ｈを有しており、この開口部ｈを閉塞するとともに本体ケース１に対して離脱可能なキャップ４を備えている。すなわち、転写具Ｔは、不使用時等において転写テープｐの糊ｇに異物が付着したり転写テープｐが周囲の物品等に誤って添着してしまったりすることを避けるべく、有底円筒状の本体ケース１に前端が塞がれた円筒状のキャップ４を取り付けられるようになっている。このため、転写具Ｔは、本体ケース１にキャップ４が装着された状態では円柱状の外観を呈するものとなっている。
【００２２】
以下、転写具Ｔについて詳述する。
【００２３】
本体ケース１は、先端に開口部ｈを有するとともに基端側に後壁１２を有した有底筒状をなすものであり、筒状をなすケース本体１１と、このケース本体１１の後端に配されて筒底部分を形成する後壁１２とを備えている。本体ケース１は樹脂により一体に形成されている。
【００２４】
ケース本体１１は、円形筒状のもので先端側にキャップ４を着脱可能に支持するキャップ取付部１１１を備えている。
【００２５】
後壁１２は、ケース本体１１の後端縁から連続的に形成され背面視環状をなす周壁部１２１と、この周壁部１２１の内側に形成された凹陥部ｋとを備えている。凹陥部ｋは、周壁部１２１から内部に凹陥してなるものであり、周壁部１２１の内縁から内部空間側すなわち前方に延びた円筒状の周壁ｋ１と、この周壁ｋ１の端縁から連続して設けられた底壁ｋ２とを備えている。底壁ｋ２は、中央部分にリフィル本体２１の後端部分に設けられた凸状の被保持部ｂ５を保持するための保持部ｋ２２を備えるとともに、その保持部ｋ２２の基端部分と周壁ｋ１とを繋ぐ底板部ｋ２１を備えている。保持部ｋ２２は、複数の突出片ｋ２２１を環状に配することにより概略筒状に形成されたもので先端部分に内方に向けて突出させた突出部ｋ２２ａを備えている。保持部ｋ２２には、軸方向に間欠的に複数のスリットｓｌが形成されており被保持部ｂ５を外側から弾性的に保持することができるようになっている。スリットｓｌは、保持部ｋ２２と底板部ｋ２１に連続して複数形成されている。保持部ｋ２２はリフィル２を回転可能に軸支持するための軸受としての機能を発揮する。底板部ｋ２１には周縁の４箇所に後述する操作体ｅの抜け止め部ｅ３が挿入される挿入孔ｋ２１ａが設けられている。凹陥部ｋには、リフィル保持機構３を構成する操作体ｅが押圧位置（Ｐ）と非押圧位置（Ｎ）との間で移動可能に配されている。
【００２６】
操作体ｅは、本体ケース１からリフィル２を取り出すための操作ボタンの役割を担うもので、外部からの押圧操作力を受け付ける被押圧部ｅ１と、この被押圧部ｅ１から前方に突出しリフィル２に設けられた被保持部ｂ５を押圧するための押圧子たる突部ｅ２と、先端に爪ｅ３１を有し被押圧部ｅ１から前方に突出した抜け止め部ｅ３とを備えたものであり、樹脂により一体に形成されている。
【００２７】
被押圧部ｅ１は、円形平板状のもので後壁１２に形成された凹陥部内ｋに収容されており、非押圧位置（Ｎ）に位置した状態で後壁１２の周壁部１２１よりも本体ケース１の内側に位置するように設定されている。更に、被押圧部ｅ１は、背面視において後壁１２の一部から部分的に表出されている。すなわち、被押圧部ｅ１は、背面視において後壁１２よりも狭い面積に設定され、且つ、非押圧位置（Ｎ）で側面視において後壁１２の周壁部１２１の外面よりも本体ケース１の内側に位置するように設定されている。このようにすることで、使用者が通常の使用時において被押圧部ｅ１にアクセスし難いようにしている。突部ｅ２は、被押圧部ｅ１の略中央部分からリフィル２側に向かって突設されたもので正面視において略十字状の形状をなしている。抜け止め部ｅ３は、被押圧部ｅ１の周縁部分から内方すなわち前方に向けて突設されたもので、その先端部分に外側すなわちケース本体１１側に向けて突設された爪ｅ３１を有している。この爪ｅ３１が底壁ｋ２の挿入孔ｋ２１ａの縁部と係わり合うことにより、操作体ｅは本体ケース１から抜け出ないようになっている。
【００２８】
次に、リフィル２について説明する。
【００２９】
リフィル２は、リフィル本体２１の先端に転写ヘッド２２を設けてなる。このリフィル本体２１は、後部側から開口部ｈを通過させて本体ケース１内に収容されるものである。リフィル２は、交換可能な部品であり、本体ケース１の前側に当該リフィル２を位置させた後、入口となる開口部ｈを通して差し込み挿入することにより、本体ケース１内にリフィル本体２１部分が位置付けられるようになっている。以下、このリフィル２について詳述する。
【００３０】
リフィル本体２１は、樹脂により一体的に形成されたリフィルベースｂと、このリフィルベースｂに保持された繰出リールｍ及び巻取リールｎと、これら両リールｍ、ｎを転写テープｐの進行に伴わせて連動回転させるための連動機構ｃとを備えたものである。
【００３１】
リフィルベースｂは、前側に配されてケース本体１１の開口部ｈ付近の内周面に添設可能に形成された位置決め部ｂ１と、軸心ｊに対して一方側に偏位した位置で連動機構ｃを保持する板状をなす連動機構保持部ｂ２と、この連動機構保持部ｂ２に関連させて軸心ｊに対して他方側に偏位した位置に配された重量バランス部ｂ３と、この重量バランス部ｂ３の後部に設けられ円筒状の本体ケース１内の幅方向空間と略一致する面積に形成された円形板状をなす後部壁ｂ４と、後側に配されて軸心ｊと一致する中央部分すなわち後部壁ｂ４の略中央部分から後方に向けて突出させた凸状の被保持部ｂ５とを備えている。さらに、リフィルベースｂは、繰出リールｍ及び巻取リールｎよりも転写ヘッド２２側の位置に転写テープｐの軌道を保持するためのガイド部ｂ６を備えている。
【００３２】
位置決め部ｂ１は、転写ヘッド２２の後側に隣接して配されており先端部分をケース本体１１の内周に添設可能に形成しているリブ状のものである。位置決め部ｂ１は、ケース本体１１に対して３６０°自由に回転可能に支持されているリフィル２の姿勢を一定の姿勢に保持するものである。
【００３３】
連動機構保持部ｂ２は、転写ロール２２１の押付面２２１ａと水平位置にある転写対象面Ｓとを平行に設定した状態で、平面視において軸心ｊに対して右側に偏位した位置で連動機構ｃを回転可能に支持している板状部分を主体に構成しているものである。連動機構保持部ｂ２は、第一、第二、第三の固定軸ｂ２１、ｂ２２、ｂ２３を備えており、これら固定軸ｂ２１、ｂ２２、ｂ２３によって、連動機構ｃを構成する繰出側のギアｃ１と、この繰出側のギアｃ１に噛合する中間ギアｃ２と、この中間ギアｃ２に噛合する巻取側のギア３をそれぞれ回転可能に支持している。連動機構保持部ｂ２の後部には、巻取リールｎの爪車ｎ２に係わり合い巻取リールｎの逆転を抑制するための逆転防止用の爪ｂ２４が設けられている。
【００３４】
重量バランス部ｂ３は、連動機構保持部ｂ２に関連させて軸心ｊに対して相反する位置、すなわち、本実施形態では軸心ｊに対して左側に偏位した位置に重量を積極的に付加するべく樹脂の肉部分を集合させてなるものである。重量バランス部ｂ３は、複数の板状部材をリブ状に配したものである。重量バランス部ｂ３は、軸心ｊに対して一方側に偏位した位置にある連動機構保持部ｂ２によって本体ケース１内に回転可能に支持されたリフィル２が所期の姿勢、すなわち転写ロール２２１の押付面２２１ａと水平位置にある転写対象面Ｓとが略平行になる姿勢で安定しなくなってしまうという不具合を抑制する機能を営むものである。
【００３５】
被保持部ｂ５は、リフィルベースｂの後端に形成された円形平板状の後部壁ｂ４の中央部分から後方に向けて突設された凸状のものである。本実施形態では、被保持部ｂ５は回転軸としての機能を有する軸部材により構成されている。被保持部ｂ５は、先端部分が基端部分よりも膨らんだ形状をなしている。具体的には、被保持部ｂ５は、先端側に膨出部ｂ５１を有するとともに基端側に膨出部ｂ５１よりも軸径が小径に設定されることにより形成されたくびれ部ｂ５２を有している。
【００３６】
ガイド部ｂ６は、転写操作に伴って転写テープｐが転写ロール２２１に対して左右方向にずれてしまうことを抑制し得るもので、本実施形態では転写テープｐの幅寸法に対応した凹陥部分により構成されている。
【００３７】
繰出リールｍは、転写テープｐを巻回支持するものであり、巻取リールｎよりも前側の位置に配されている。繰出リールｍは、中心に連動機構ｃを構成する繰出側のギアｃ１の軸部ｃ１１と係わり合う中心孔ｍ１が設けられている。
【００３８】
巻取リールｎは、繰出リールｍから転写ヘッド２２を介して送り出された転写テープｐを巻取るものであり、その中心に第三の固定軸ｂ２３に回転可能に嵌合する軸孔ｎ１が形成されている。また、巻取リールｎのリフィルベースｂ側の側部には爪車ｎ２が設けられており、リフィルベースｂの連動機構保持部ｂ２の後部に設けられた逆転防止用の爪ｂ２４と係わり合うようになっている。
【００３９】
転写テープｐは、フィルム状の基材の一面側に粘着剤である糊ｇを添付してなる通常のものである。
【００４０】
連動機構ｃは、繰出リールｍとともに回転する繰出側のギアｃ１と、巻取リールｎとともに回転する巻取側のギアｃ３とを備えている。詳述すれば、連動機構ｃは第一の固定軸ｂ２１に回転可能に支持され繰出リールｍの中心孔ｍ１に嵌合する軸部ｃ１１を有した繰出側のギアｃ１と、繰出リールｍの中心孔ｍ１と繰出側のギアｃ１の軸部ｃ１１との間に設けられ一定以上のトルクが作用した場合に繰出リールｍと繰出側のギアｃ１との相対回転を許容するすべり機構ｃ４と、第二の固定軸ｂ２２に回転可能に支持され繰出側のギアｃ１に噛合する中間ギアｃ２と、巻取リールｎの側端に設けられ中間ギアｃ２と噛合する巻取側のギアｃ３とを備えたものである。巻取リールｎと巻取側のギアｃ３は一体に形成されている。
【００４１】
転写ヘッド２２は、転写テープｐを転写対象面Ｓに対して押しつける転写端である転写ロール２２１と、この転写ロール２２１を両側から回転可能に支持する板状をなす左右の支持部２２２と、左右の支持部２２２の基端部から外側方に延出し本体ケース１の内部空間を外部空間から遮る遮壁２２３を備えてなる。左右の支持部２２２と遮壁２２３は、リフィルベースｂと一体に形成された樹脂製のものである。転写ヘッド２２はリフィル本体２１とともに一体に回転するようになっている。
【００４２】
転写ロール２２１は、本体ケース１の軸心ｊに対して反転写方向に偏位した状態でリフィル本体２１に保持されている。ここで「反転写方向」とは、糊ｇ等の転写物を転写するために移動する方向（転写方向）に対して反対の方向という意味である。換言すれば、転写ロール２２１は、転写進行方向に移動させて行う転写作業時において、本体ケース１の軸心ｊが転写対象面Ｓに仮想的に接する部分よりも後側の位置で、転写対象面Ｓに転写テープｐを押し付け得るように配されている。
【００４３】
左右の支持部２２２は、板状のもので、先端部近傍で転写ロール２２１を回転可能に支持している。左右の支持部２２２は、本体ケース１の軸心ｊを転写対象面Ｓに対して直立又は転写進行方向に傾斜させた場合に、転写ロール２２１が転写テープｐを転写対象面Ｓに対して押し付け得る形状に形成されている。すなわち、左右の支持部２２２は、転写ロール２２１の近傍に転写対象面Ｓ側を向く端縁である第一の端縁部２２２ａと反転写対象面側を向く端縁である第二の端縁部２２２ｂとを有しており、側面視において転写ヘッド２２１の押付面２２１ａが第一の端縁部２２２ａよりも外側に位置するように設定されているとともに側面視において転写ヘッド２２１の押付面２２１ａが第二の端縁部２２２ｂよりも内側に位置するよう設定されている。換言すれば、第一の端縁部２２２ａは、転写ロール２２１が転写テープｐを転写対象面Ｓに対して押し付けることを許容する転写許容部を構成するとともに、第二の端縁部２２２ｂは、転写ロール２２１が転写テープｐを転写対象面Ｓに対して押し付けることを禁止する転写禁止部を構成している。
【００４４】
遮壁２２３は、左右にそれぞれ配された板状のものでありその端縁が本体ケース１の開口部ｈの形状に対応した円弧状に形成されている。
【００４５】
続いて、リフィル保持機構３について説明する。
【００４６】
リフィル保持機構３は、リフィル２を本体ケース１内に自由回転可能に保持する保持状態（Ｈ）と、リフィル２を本体ケース１から取り外し得る解放状態（Ｒ）とを選択的に採り得るものである。換言すれば、リフィル保持機構３は、リフィル２を本体ケース１に対して着脱可能、且つ、回転可能に保持するものである。
【００４７】
本実施形態においては、リフィル保持機構３は、リフィル２に形成された凸状をなす被保持部ｂ５と、本体ケース１の一方の端部すなわち後壁１２に形成され被保持部ｅ１を弾性的に保持する保持部ｋ２２と、被保持部ｅ１を押圧して保持部ｋ２２から離脱させるための操作体ｅとを備えたものである。操作体ｅは、リフィル２の保持状態（Ｈ）を解除するためのものである。リフィル保持機構３が作用する本体ケース１に対するリフィル２の具体的な装着及び取り外しについては後で詳述する。
【００４８】
キャップ４は、ケース本体１に対応する大きさの筒状をなした筒状部４１と、この筒状部４１の先端縁に配された円形板状の先端壁４２とを備えたものであり、樹脂により一体に形成されている。キャップ４は、本体ケース１に対して離脱可能に取り付けられるものである。筒状部４１は内周面に本体ケース１のキャップ取付部１１１と係わり合う本体ケース係合部４１１を備えている。また、筒状部４１は、外周面にケース本体１１に対する取り外し及び装着の際において使用者の手指が滑るのを抑制する滑り止め部４１２を備えている。滑り止め部４１２は、周方向に延びる複数本の突部や凹部により構成されるものである。
【００４９】
以下、本実施形態の転写具Ｔにおける本体ケース１に対してリフィル２を装着する態様、及び、本体ケース１に対して装着された状態のリフィル２を本体ケース１に対して離脱させる態様について説明する。
【００５０】
まず、本体ケース１に対してリフィル２を装着する態様について説明する。
【００５１】
先端に開口部ｈを有した有底筒型をなす本体ケース１に、リフィル２の基端側から開口部ｈを通過させるようにして、リフィル本体２１を本体ケース１内に挿入する。そして、リフィル本体２１が本体ケース１内に挿入され後端部分に設けられた被保持部ｂ５が後壁１２に到達すると、被保持部ｂ５は後壁１２に形成された保持部ｋ２２に係わり合い弾性的に保持される。このとき、リフィル保持機構３は解放状態（Ｒ）から保持状態（Ｈ）に切り換わる。保持部ｋ２２は、スリットｓｌにより被保持部ｂ５の軸方向に対して直交する方向に対して弾性変形し易く形成されている。このため、リフィル２が所定の位置に至るまで挿入されると、保持部ｋ２２が被保持部ｂ５に押されて弾性変形し、被保持部ｂ５の膨出部ｂ５１が保持部ｋ２２によって包まれるように支持される。このとき、保持部ｋ２２の突出部ｋ２２ａが、被保持部ｂ５のくびれ部ｂ５２に位置することになり、被保持部ｂ５は突出部ｋ２２ａによって抜け止めされる。
【００５２】
被保持部ｂ５の膨出部ｂ５１は、保持部ｋ２２によって包持されており、転写ヘッド２２を支持したリフィル２が本体ケース１内に３６０°回転可能、且つ、リフィル２が本体ケース１に対して抜け止めされた状態で支持される。すなわち、軸部材たる被保持部ｂ５は保持部ｋ２２によって軸支持されている。リフィル２は、リフィルベースｂの位置決め部ｂ１によって本体ケース１内で軸心ｊと直交する方向への移動が抑制されている。このため、前述したリフィル保持機構３とリフィル本体２１の位置決め部ｂ１とが協働し、リフィル２は本体ケース１の軸心ｊと略一致した姿勢で回転可能に支持されることになる。
【００５３】
次いで、本体ケース１からリフィル２を離脱する態様について説明する。
【００５４】
本体ケース１内に保持されたリフィル２を本体ケース１から離脱する場合は、本体ケース１の後壁１２に配設された操作体ｅを押圧操作することにより行う。すなわち、本体ケース１の後部に取り付けられた操作体ｅに種々の方法で操作力を付与しリフィル２を前方に押し出すと、リフィル２と本体ケース１との係わり合いが解除され、リフィル保持機構３が保持状態（Ｈ）から解放状態（Ｒ）に切り替わることになる。
【００５５】
具体的には、操作体ｅの被押圧部ｅ１を手指の先端或いは棒等の道具を使用して本体ケース１の内部側に押圧する。操作体ｅが押圧されると、操作体ｅの突部ｅ２が被保持部ｂ５の先端に圧接して被保持部ｂ５を前方に押し出すことになり、結果として、保持部ｋ２２と被保持部ｂ５との係わり合いが解除される。被保持部ｂ５が前方に押し出されると概略筒状をなす保持部ｋ２２が拡径するように一時的に弾性変形する。すなわち、保持部ｋ２２を構成する複数の突出片ｋ２２１が膨出部ｂ５１によって押し退けられて一時的に外側に弾性変形することになる。このとき、抜け止め機能を発揮する被保持部ｂ５のくびれ部ｂ５２と保持部ｋ２２の突出部ｋ２２ａとの係わり合いも、操作体ｅの押圧操作力によって解除されている。
【００５６】
本体ケース１の保持部ｋ２２との係わり合いが解除されたリフィル２は、本体ケース１内に配されたリフィル本体２１が本体ケース１の先端に配された開口部ｈを通過して外部に取り出されることにより、本体ケース１に対して離脱し、本体ケース１は、同一構造をなす他のリフィルを受け入れ可能な状態になる。なお、操作体ｅの突部ｅ２は、リフィル２の被保持部ｂ５に代わって本体ケース１の保持部ｋ２２に弾性的に保持され、再びリフィル２が装填されるまで、押圧位置（Ｐ）に待機した状態になっている。
【００５７】
以上説明したように、本実施形態に係る転写具Ｔは、軸心ｊを転写対象面Ｓに対して直立又は転写進行方向に傾斜させて把持可能な把持部材である本体ケース１と、この本体ケース１に保持されて軸心ｊ回りに回転可能な回転体であるリフィル本体２１と、その軸心ｊに対し転写端である転写ロール２２１が反転写方向に偏位した状態でリフィル本体２１に保持された転写ヘッド２２とを具備してなるので、転写ヘッド２２が転写対象面Ｓに対して適切に追従し好適に糊ｇを転写対象面Ｓに対して塗布することができるものとなる。
【００５８】
すなわち、本体ケース１に対してリフィル本体２１と転写ヘッド２２とが軸心ｊ回りに回転可能であるとともに、転写ロール２２１が軸心ｊに対して反転写方向に偏位した位置に設定されているので、例えば、転写テープｐに添着している糊ｇを曲線を描くようにして転写対象面Ｓに対して転写する操作をしても、転写ヘッド２２が転写操作に追従して軸心ｊ回りに回転し、好適に糊ｇを転写対象面Ｓに転写することができるものとなっている。このため、転写具Ｔは、使用者に自然な操作感を提供することができるものとなっている。
【００５９】
本実施形態に係る転写具Ｔであれば、リフィル２が本体ケース１に対して３６０°回転するものであるため、種々の態様の転写操作に対応して転写ヘッド２２が軸心ｊ回りに回転することができ、使用者に快適な操作感を提供することができるものとなっている。しかも、転写具Ｔは、転写対象面Ｓに対して糊ｇの転写を開始する際に、転写ヘッド２２を転写対象面Ｓに押し付ければ、転写ヘッド２２の転写ロール２２１が転写対象面Ｓに対して平行になるように自動的に補正されるため、転写対象面Ｓに対して適切に糊ｇを転写することができるものとなる。
【００６０】
本体ケース１が円筒体状をなしたものであり、この円筒体状をなす本体ケース１内にリフィル本体２１が交換可能に収容されているので、個性的な外観を呈するものとなるとともに、使用者が使用時に把持し易いシンプルな外形形状を実現するものとなっている。
【００６１】
本体ケース１が有底円筒体状をなしており樹脂により一体に形成されたものであるため強度に優れたものとなる。特に、本体ケース１が底壁ｋ２を備えたものであるので、転写作業時にリフィル２が転写対象面Ｓに押し付けられることに伴って生じる荷重を底壁ｋ２によって安定的に受け付けるものとなる。
【００６２】
リフィル本体２１が、リフィルベースｂと、このリフィルベースｂに保持された繰出リールｍ及び巻取リールｎと、これら両リールｍ、ｎを転写テープｐの進行に伴わせて連動回転させるための連動機構ｃとを備えたものであるので、リフィル２側に糊ｇの転写に必要な構造がユニット化するものとなり、取り扱いに優れたものとなる。
【００６３】
リフィルベースｂが、軸心ｊに対して一方側に偏位した位置で連動機構ｃを保持する連動機構保持部ｂ２と、この連動機構保持部ｂ２に関連させて軸心ｊに対して他方側に偏位した位置に配された重量バランス部ｂ３とを備えているため、本体ケース１内に回転自在に支持されたリフィル２の姿勢を所期の姿勢でバランス良く保持することができるものとなる。
【００６４】
リフィル２を本体ケース１内に自由回転可能に保持する保持状態（Ｈ）と、リフィル２を本体ケース１から取り外し得る解放状態（Ｒ）とを選択的に取り得るリフィル保持機構３を具備しており、リフィル保持機構３が、リフィル２に形成された凸状をなす被保持部ｂ５と、本体ケース１の一方の端部に形成され被保持部ｂ５を弾性的に保持する保持部ｋ２２とを備えているため、円筒形状をなす本体ケース１内にリフィル２を着脱自在、且つ、回転可能に保持する構成を好適に実現するものとなる。
【００６５】
リフィル保持機構３が、保持状態（Ｈ）を解除するための操作体ｅを具備しているため、本体ケース１からリフィル２を離脱させるための操作を、操作体ｅによって行うことができるものとなる。
【００６６】
転写ヘッド２２が、転写テープｐを転写対象面Ｓに対して押しつける転写端である転写ロール２２１と、この転写ロール２２１を両側から支持する左右の支持部２２２とを備えてなるものであり、左右の支持部２２２が、本体ケース１の軸心ｊを転写対象面Ｓに対して直立又は転写進行方向に傾斜させた場合に、転写ロール２２１が転写テープｐを転写対象面Ｓに対して押し付け得るように形成されている。このため、本体ケース１内に回転可能に支持された転写ヘッド２２が適切な姿勢、すなわち、転写ロール２２１が軸心ｊに対して反転写方向側に偏位している姿勢で転写作業が行われるように使用者を誘導することができるものとなる。換言すれば、転写ロール２２１が軸心ｊに対して転写方向側に偏位している姿勢では、転写テープｐが転写対象面Ｓに触れないようになっており転写作業ができないため、転写テープｐを逆走させてしまうという不具合の発生が好適に抑制されるものとなる。
【００６７】
転写端として左右の支持部２２２に回転可能に支持された転写ロール２２１を採用しているので、転写テープｐに添着させた糊ｇの転写操作を滑らかに行うことができるものとなる。
【００６８】
なお、本発明は、以上に詳述した実施形態に限られるものではない。
【００６９】
転写具は、転写物を転写対象物に転写するものであればよい。換言すれば、転写物は、本実施形態に示された糊等の粘着剤に限られるものではなく、例えば、修正用の修正剤（修正テープ）や装飾用の装飾剤（装飾テープ）であってもよい。更に、転写テープを利用したものに限られるものではなく、例えば、転写ローラを介してインクや糊を塗布するものであってもよい。
【００７０】
把持部材は、本実施形態に示された本体ケースに限定されるものではない。すなわち、把持部材は、使用者が把持する機能を発揮することができるものであればよく、種々の形状のものが考えられる。例えば、把持部材をリフィル等の回転体を回転可能に支持するリング状やドーナツ状のものとしても良い。或いは、把持部材を、中央に軸孔を有した回転体を把持するものであって当該回転体の軸孔に挿通される軸とこの軸を支持するとともに使用者が把持する部位を備えたものとしても良い。
【００７１】
回転体は、本実施形態に示されたリフィル本体に限定されるものではない。すなわち、回転体は、把持部材に保持されて軸心回りに回転可能なものであればよく、種々の構造のものが考えられる。例えば、回転体を、転写ヘッドの基端を保持する小部品のものとしてもよいし、転写ヘッド付きリフィルを内蔵し把持部材に対して回転するものとしてもよいし、或いは、転写ヘッドを保持し把持部材に対して回転するものとしても良い。
【００７２】
転写端は、転写テープを転写対象面に押し付ける機能を発揮するものであればよく、本実施形態に示されるものに限られるものではない。転写端としては、例えば、板面を利用して転写対象面に転写テープを押し付けるようにした板状部材等を挙げることができる。
【００７３】
リフィル保持機構は、リフィルを本体ケース内に自由回転可能に保持する保持状態と、リフィルを本体ケースから取り出し得る解放状態を取り得るものであればよく、本実施形態に示されるものに限られるものではない。例えば、リフィルの後端に円環状の突部或いは円環状の軌道上に突設された複数の突部を設け、この円環状の突部或いは複数の突部が着脱可能に嵌合する環状の凹溝を本体ケースに設けるようにしても良い。その他の態様としては、例えば、本体ケースの内側面から内方に向けて突設させた突出部位を用いてリフィルに設けた回転軸を回転可能に支持するようにしても良いし、本体ケースの内側面とリフィルの外側面のいずれか一方に周方向に延びる凹部分を設けるとともに他方に周方向に延びる凸部分を設けて本体ケースとリフィルとを係わり合わせることにより、リフィルを本体ケース内に回転可能に保持させるようにしても良い。
【００７４】
更に、リフィル保持機構は、本体ケースの後壁内面における中央部分に突状をなす被保持部を設けるとともに、当該突状をなす被保持部に係わり合う概略筒状或いは凹陥状の保持部をリフィルの後端に設けるようにしても良い。しかしながら、前述した実施形態に示すものであれば、リフィルにおける後端中央部分に突状の被保持部が設けられており、当該被保持部を押圧することによりリフィルを本体ケースから離脱させることができるように構成しているため、リフィルを離脱させるための荷重をバランスよく効果的に付与することができるものとなっている。
【００７５】
また、リフィル保持機構は、必ずしも保持状態解除用の操作体を具備している必要は無く、リフィルの一部を把持して直接的に保持状態を解除するための操作力を付与するようにしても良い。
【００７６】
操作体は、リフィルの保持状態を解除するものであればよく、本実施形態に示されるような被押圧部を押圧するものには限定されない。例えば、リフィルの後部壁を押圧するようにしてもよいし、リフィルにおける長手方向中央部分の何れかの部位に対してリフィルの保持状態を解除し得る方向に操作力を与えるものであってもよい。
【００７７】
本体ケースの後端側にキャップ保持部を設け、使用時に本体ケースの先端側から離脱させたキャップを、当該キャップ保持部に保持させるようにしても良い。キャップ保持部の一例としては、キャップの開口縁の内周に嵌合するようにするべく、本体ケースにおけるケース本体の後部を内側に凹ませたものが挙げられる。
【００７８】
本体ケースは有底円筒状のものには限られず、角筒状のものであっても良い。
【００７９】
その他、各部の具体的構成についても上記実施形態に限られるものではなく、本発明の趣旨を逸脱しない範囲で種々変形が可能である。
【符号の説明】
【００８０】
１…本体ケース（把持部材）
２…リフィル
３…リフィル保持機構
２１…リフィル本体（回転体）
２２…転写ヘッド
２２１…転写ロール（転写端）
ｊ…軸心
ｍ…繰出リール
ｎ…巻取リール
ｐ…転写テープ
Ｓ…転写対象面
Ｔ…転写具
【図１】
2014108547.tif 000003
【図２】
2014108547.tif 000004
【図３】
2014108547.tif 000005
【図４】
2014108547.tif 000006
【図５】
2014108547.tif 000007
【図６】
2014108547.tif 000008
【図７】
2014108547.tif 000009
【図８】
2014108547.tif 000010
【図９】
2014108547.tif 000011